(57)【要約】【課題】コンデンサなどの油入電機機器からＰＣＢ油を抜き取るための容器の破砕作業を効率的に、かつ、迅速に行うことで、作業員のＰＣＢに接する時間を大幅に短縮し、しかも、構造が大幅に簡素化された破砕装置を提供する。【解決手段】機台１と、この機台１の上に間隔可変可能にそれぞれ設置される左右一対の切断刃２と、この左右一対の切断刃２の間隔可変方向に対して直交する方向におけて機台１の上に設置され、左右一対の切断刃２に向けてコンデンサＢを移動させるための油圧シリンダ３とを備え、かつ、機台１の下には、コンデンサＢが、左右一対の切断刃２によって破砕されたときに流出するＰＣＢ油を受け取り回収するためのオイル受け４が備えられていることにある。【選択図】図２
2008166372.tif 000002
【特許請求の範囲】
【請求項１】
平面視で略矩形形状を呈している機台（１）と、
この機台（１）の上に間隔可変可能にそれぞれ設置される左右一対の切断刃（２）と、
この左右一対の切断刃（２）の間隔可変方向に対して直交する方向において前記機台（１）の上に設置されて、前記左右一対の切断刃（２）に向けて油入電機機器を移動させるためのプッシャ手段と、を備え、
かつ、前記機台（１）の下には、前記油入電機機器の容器が、前記一対の切断刃（２）によって切断されたときに流出するＰＣＢ油を受け取り回収するためのオイル受け（４）が備えられていることを特徴とする油入電機機器の破砕装置。
【請求項２】
前記油入電機機器を、前記プッシャ手段によって前記左右一対の切断刃（２）に向けて押し込み移動させる前記機台（１）の移送路（Ｓ）の側部に、前記油入電機機器の機種に合わせて間隔（Ｌ）が調節された前記左右一対の切断刃（２）による前記容器の破砕線上（Ｘ）に合わせて、前記油入電機機器を位置決めするための位置決め手段（５）が備えられていることを特徴とする請求項１に記載の油入電機機器の破砕装置。
【請求項３】
前記油入電機機器の機種に合わせて、前記左右一対の切断刃（２）の間隔（Ｌ）を調節するための位置合わせ目盛（７）が、前記機台（１）の上に備えられていることを特徴とする請求項１または請求項２に記載の油入電機機器の破砕装置。
【請求項４】
前記プッシャ手段が、油圧シリンダ（３）であり、この油圧シリンダ（３）を作動させるための操作が、遠隔操作で行われるように構成されていることを特徴とする請求項１から請求項３のいずれか1項に記載の油入電機機器の破砕装置。
【発明の詳細な説明】
【技術分野】
【０００１】
本発明は、油入電機機器の破砕装置に係り、詳しくは、ＰＣＢ油（絶縁油）などを含有するコンデンサ、トランスなどの油入電機機器からＰＣＢ油を抜き取るために用いられる破砕装置に関する。
【背景技術】
【０００２】
ＰＣＢ（Polychlorinated biphenyl, ポリ塩化ビフェニル：ビフェニルの塩素化異性体の総称）は、化学的安定性、不燃性（高耐熱性）、電気絶縁性が良好などの特性を有していることから、電機機器のコンデンサやトランスなどの絶縁油として多量に利用されてきた。
しかし、ＰＣＢ油は、化学的な処理などによって容易に分解されないために、使用済のコンデンサなどが廃棄処理された後には、水、土壌などに蓄積して、食品などを介して人体に入るおそれがある。
【０００３】
このように、ＰＣＢ油は、分解されにくく極めて強い毒性を有し、人体への有害性が指摘されてからは、製造が禁止されている。そして、ＰＣＢを含んだ絶縁油（ＰＣＢ含有絶縁油）を使用したコンデンサなどは厳重に保管され、その早急な処理が必要とされている。
【０００４】
ちなみに、コンデンサなどの電機機器は、本体と絶縁油、及びこれらを収容するための容器などから構成されている。本体は、素子、その他の付属物とから構成されている。そして、素子は、帯状の電極と帯状の絶縁体が重ねられた状態で、これらが何層にも巻かれた状態に形成されている。
【０００５】
ところで、コンデンサなどを廃棄処理する際には、容器の解体処理が不可欠であるが、通常、容器にはＰＣＢに汚染されている絶縁油を抜き取るための開口部などは存在していない。そのために、何らかの方法によって、容器を切断または破砕するなどして、容器からＰＣＢ油を抜き取るための開口部を設けるまたは容器を解体しなければならない。
【０００６】
そこで、従来では、例えば、コンデンサなどを固定しておき、容器の壁板に沿わせて回転刃を備える切断手段を移動さながら、容器を二つに分離するように切断するなどによって、容器からＰＣＢ油を抜き取るように構成されている切断装置が知られている（特許文献１参照）。
【０００７】
また、従来においては、容器の壁板に食い込ませるための切断刃と、この切断刃とによって壁板を挟み込むための挟持刃とを備えている切断機構と、この切断機構を容器の壁板（外周形状）に沿わせて移動させるための駆動機構とを備えて構成されている解体装置が知られている（特許文献２参照）。
【０００８】
なお、コンデンサなどを廃棄処理する際には、容器内から抜き取られた絶縁油については、そのＰＣＢを確実に分解処理（無害化）することが求められる。そして、コンデンサなどを構成する容器や素子については、絶縁油を抜き取り除去した後に、少なからずＰＣＢに汚染された絶縁油が残留しているため、これらを完全に除去した後、安全な状態で廃棄あるいは再利用する必要が求められる。
【特許文献１】特開２００５−４５１９０号公報（請求項１、段落番号００１２、００２０〜００２２、及び図３、図４参照）
【特許文献２】特開２００３−２８５０３６号公報（請求項１、請求項２、段落番号００４４〜００４７、及び図１〜図４参照）
【発明の開示】
【発明が解決しようとする課題】
【０００９】
しかしながら、特許文献１に記載の従来装置は、回転刃を回転によって、容器を切断する方法であることから、回転刃の回転による容器と摩擦によって熱が発生し、この熱が引火を引き起こす温度域まで加熱されるという問題があった。
また、このように切断するときに発生する熱によって、容器内のＰＣＢ油が気化し、蒸発するおそれがあるなどの汚染の問題を引き起こすなど安全性の面において悪化を招く問題があった。さらには、回転刃による切断に時間が掛かるなどから、作業者がＰＣＢ油に接する時間が長引いてしまうといった問題があった。
【００１０】
一方、特許文献２に記載の従来装置では、容器の壁板を、切断しながらその切断片のカエリが外向きになるようにしていることから、特許文献１の回転刃を用いた切断に比べて容器との摩擦による熱の発生量を抑えることができる。
しかしながら、この特許文献２に記載の従来装置は、容器の壁板を切断しながら、切断片のカエリが外向きになるようにするための切断機構の動きが複雑であるなどから、切断に時間が掛かる。また、装置自体が大型化し、なおかつ、構造が複雑化であるなどから製作コストの高騰を招くなどの問題があった。
【００１１】
そこで、本発明は、前記課題を解消するために創案されたものであり、コンデンサなどの油入電機機器からＰＣＢ油を抜き取るための容器の破砕作業を効率的に、かつ、迅速に行うことで、作業員のＰＣＢに接する時間を大幅に短縮し、しかも、構造が大幅に簡素化された破砕装置を提供することにある。
【課題を解決するための手段】
【００１２】
前記課題を解決するために、本発明では、平面視で略矩形形状を呈している機台と、この機台の上に間隔可変可能にそれぞれ設置される左右一対の切断刃と、この左右一対の切断刃の間隔可変方向に対して直交する中心線上における前記機台の上に設置されて、前記左右一対の切断刃に向けて油入電機機器を移動させるためのプッシャ手段と、を備え、かつ、前記機台の下には、前記油入電機機器が、前記左右一対の切断刃によって破砕されたときに流出するＰＣＢ油を受け取り回収するためのオイル受けが備えられていることを特徴とする（請求項１）。
ここで、前記プッシャ手段が、油圧シリンダであり、この油圧シリンダを作動させる操作が、遠隔操作で行われるように構成されていることが好適なものとなる（請求項４）。
【００１３】
請求項１に記載の構成によれば、プッシャ手段によって左右一対の切断刃に向けて油入電機機器が移動されてくると、容器の壁板に左右一対の切断刃の刃先が食い込み、壁板は破られるように切断される。これにより、容器内からＰＣＢ油が抜き取られる。容器から抜き取られたＰＣＢ油は機台に下に備えられているオイル受けによって受け取られて回収される。
そして、請求項４のように構成されていることにより、プッシャ手段が、迅速な動きで作動する油圧またはエアシリンダ、特に、油圧シリンダであることで、容器の壁板は、一瞬にして左右一対の切断刃によって破られるように切断される。しかも、油圧シリンダは遠隔操作によって作動することから、作業者のＰＣＢに接する時間は短時間ですむ。つまり、コンデンサなどの油入電機機器の容器を破砕してＰＣＢ油を抜き取るときに、作業者がＰＣＢに接する時間は、プッシャ手段によって移動し得るように、機台の上に油入電機機器をセットするときのみの短い時間ですむ。
【００１４】
また、本発明では、前記油入電機機器を、前記プッシャ手段によって前記左右一対の切断刃に向けて押し込み移動される前記機台の移送路の側部に、前記油入電機機器の機種に合わせて間隔にて位置決め調整された前記左右一対の切断刃による破砕線上に合わせて、前記油入電機機器を位置決めするための位置決め手段が備えられていることを特徴とする（請求項２）。
ここで、前記油入電機機器の機種とは、油入電機機器の能力を意味するもので、この能力によって油入電機機器の本体外形寸法（容器の巾、高さ、長さなど）が異なるために、油入電機機器の機種に合わせた左右一対の切断刃の相対する間隔と、この左右一対の切断刃によって切断される破砕線上に油入電機機器を合わせるための位置決め調節が必要となる。
また、前記破砕線上は、容器の内部に収容されている素子、その他の付属物（例えば、鉄心に巻かれている銅線コイルからなる低圧巻線、高圧巻線）などから構成されている本体を切断せずに、容器の壁板のみを切断することができる壁板と本体との間に定めることができる。
【００１５】
請求項２に記載の構成によれば、油入電機機器は、位置決め手段によって位置決め規制された状態で左右一対の切断刃に向けてプッシャ手段により移動されてくる。これにより、容器の定められた破砕線上に沿って左右一対の切断刃は、同容器の壁板をそれぞれ破るように切断することとなる。換言すれば、容器の内部に収容されている本体を切断することなく、容器の壁板のみを破るように切断することができることで、本体を構成する例えば、鉄心に巻かれている銅線コイルからなる低圧巻線、高圧巻線のばらつきなどを防いで、次の処理工程などへ搬送などによって移行させることができる。
【００１６】
さらに、本発明では、前記油入電機機器の機種に合わせて、前記左右一対の切断刃の間隔を位置決め調整するための位置合わせ目盛が、前記機台の上に備えられていることを特徴とする（請求項３）。
ここで、前記位置合わせ目盛は、例えば、油入電機機器の能力に応じて、この油入電機機器ごとに印字示されている能力表示を用いることが好適なものとなる。
【００１７】
請求項３に記載の構成によれば、機台の上に備えられている位置あわせ目盛、例えば、能力に応じて油入電機機器にそれぞれ印字されている能力表示に合わせて左右一対の切断刃の間隔を調節することができる。これにより、ここの能力を有する油入電機機器の容器を切断処理するに際して、左右一対の切断刃の間隔を油入電機機器に合わせて調節するその段取りを迅速に行うことができる。
【発明の効果】
【００１８】
本発明に係る油入電機機器の破砕装置は以上のように構成されていることで、コンデンサなどの油入電機機器を、同電機機器の機種に合わせた間隔に可変調節されて機台に固定されている左右一対の切断刃に向けてプッシャ手段である油圧またはエアシリンダなどにより移動押し込むことによって、ＰＣＢ油を抜き取るための容器の破砕作業を一瞬にして行うことができる。これにより、容器を効率的に、かつ、迅速に破砕することができる。
【００１９】
また、本発明に係る油入電機機器の破砕装置は、機台と、この機台の上に間隔可変可能に設置される左右一対の切断刃、この左右一対の切断刃に向けて油入電機機器を移動押し込むための油圧またはエアシリンダなどからなるプッシャ手段とから構成されている単純な構造であるが故に、従来装置に比べて、低コストにて製作して提供することができる。加えて、構造が大幅に簡素化されている故に、故障なども少なく、メンテナンスなどの面においても有益になる。
【００２０】
さらに、本発明では、プッシャ手段である油圧シリンダは、遠隔操作で作動させることができることで、作業員のＰＣＢに接する時間を大幅に短縮することができる。これにより、作業員に対する安全性の面においても大幅に向上、改善させることができる。
【発明を実施するための最良の形態】
【００２１】
以下、本発明の実施形態について、適宜図面を参照しながら詳細に説明する。
図１は、本実施形態に係る油入電機機器の破砕装置を示す平面図であり、図２は、同縦断側面図であり、図３及び図４は、同縦断正面図である。
なお、本実施形態では、平面から見た機台の短手方向（幅方向）を側方と称し、長手方向を前後方向と称する。
【００２２】
≪破砕装置の構成≫
破砕装置Ａは、図１〜図３に示すように、機台１の上に、間隔可変可能に左右一対の切断刃２が設置されている。
また、左右一対の切断刃２の間隔可変方向に対して直交する方向における機台１の上にはプッシャ手段である油圧シリンダ３が設置されている。これにより、油入電機機器であるコンデンサＢを、左右一対の切断刃２に向けて押し込むように移動させて、コンデン容器Ｂ−１の両面壁板ｂを左右一対の切断刃によって破るように切断するようにしている。
また、機台１の下には、コンデンサ容器Ｂ−１の両面壁板ｂが、一対の切断刃２によって破られるように切断されたときに、コンデンサ容器Ｂ−１から流出するＰＣＢ油を受け取り回収するためのオイル受け４が備えられている。
【００２３】
また、破砕装置Ａは、図１及び図３に示すように、左右一対の切断刃２によるコンデンサ容器Ｂ−１の側面壁板ｂの破砕線上Ｘ（後記する図８参照）に合わせて、コンデンサＢを位置決めするための位置決め手段５を備え、さらに、左右一対の切断刃２の間隔Ｌを、コンデンサＢの機種に合わせて調節するための調節手段６を備えている。
【００２４】
さらに、破砕装置Ａは、図１に示すように、コンデンサＢの機種に合わせて、左右一対の切断刃２の間隔Ｌを位置決め調整するとき、また、位置決め手段５によりコンデンサＢを左右一対の切断刃２による破砕線上Ｘに合わせて位置決めするときに、作業者が目視により確認するための位置合わせ目盛７が、機台１に備えられている。
【００２５】
ちなみに、コンデンサＢの機種とは、コンデンサＢの大きさに伴う能力を意味するもので、この能力によってコンデンサの本体外形寸法（コンデンサ容器Ｂ−１の巾、高さ、長さなど）が異なるために、コンデンサＢの機種に合わせて左右一対の切断刃２の間隔Ｌの調節と、調節された左右一対の切断刃２に合わせて切断されるコンデンサ容器Ｂ−１の破砕線上Ｘに合わせるための位置決め調節が必要となる。
【００２６】
≪機台の構成≫
機台１は、油圧シリンダ３によってコンデンサＢを、左右一対の切断刃２に向けて移動させる前後方向に長く、左右一対の切断刃２が間隔可変可能に設置される左右の幅方向に短い平面視で略矩形形状を呈している機台ベース部１−１と、この機台ベース部１−１の裏面に、短手方向に適宜の間隔をおいて前後方向に並列に取り付けられる脚部１−２とを備えて形成されている。さらに、機台１の剛性を向上させるための補強材などが備えられている。
【００２７】
機台ベース部１−１は、適宜の板厚を有する板材によって形成されており、図１及び図３に示すように、左右一対の切断刃２がスライド可能（摺動可能に）に設置される短辺側一側の前端縁側に、幅方向に延びる左右のスライド誘導路８が開設されている。
また、機台ベース部１−１には、図１及び図４に示すように、左右のスライド誘導路８のうち、一方のスライド誘導路８と平行に、位置決め手段５の後記する当て板５−１をスライド自在に設置するためのスライド誘導路９が開口されている。
【００２８】
≪切断刃の構成≫
図５は、切断刃と、この切断刃を取り付ける刃先ブラケット及びスライドブラケットを示す分解斜視図であり、図６は、図３の一部を示す拡大断面図である。ここでは、図２を適宜参照しながら説明する。
左右一対の切断刃２は、図５に示すように、側面視で略くの字形状に形成されている。詳しくは、図２に示すように、左右一対の切断刃２は、機台１の幅方向の側方に向けて外向きのテーパ状に傾斜させた刃先２ａ側を、コンデンサＢが油圧シリンダ３によって押されて移動されてくる機台１の後方に向けるように側面視で略くの字形状に形成されている。
【００２９】
これにより、左右一対の切断刃２は、鏃のように先が尖った刃先２ａ部分が、油圧シリンダ３によって移動されてくるコンデンサ容器の上面壁板にスムーズに突き刺さるようにしている（後記する図８の（ａ）参照）。つまり、コンデンサ容器Ｂ−１の両面壁板ｂを破るように切断するときの切断開始時における上面壁板ｂ−１に対する刃先２ａの切断抵抗を抑えて、コンデンサ容器ｂ−１の上面壁板ｂ−１から始まる切断が、スムーズに、かつ、確実に行われるようにしている。
【００３０】
なお、左右一対の切断刃２の屈曲部分の屈曲角度θとしては特に限定されるものでないが、例えば、７０°位〜９０°以内に設定することが好適なものとなる。つまり、鋭角であればあるほど、切断開始時においてコンデンサ容器Ｂ−１の上面壁板ｂ−１に突き刺さるときの切断抵抗が抑えられて、該上面壁板ｂ−１をスムーズに突き破るように切断することができる。
【００３１】
また、左右一対の切断刃２は、図５に示すように、屈曲部分を境として、上側刃部２−１側よりも、下側刃部２−２側が長く形成されており、この上側刃部２−１と下側刃部２−２には、止めボルト１０  を用いて左右一対の切断刃２を、左右の刃先ブラケット１１にそれぞれ取り付けるための複数のネジ孔１２が並列状に備えている。
【００３２】
≪刃先ブラケットの構成≫
刃先ブラケット１１は、左右一対の切断刃２を、後記するスライドブラケット１３を介して、機台１にスライド自在に取り付け支持するために、それぞれ左右に存在する。
この刃先ブラケット１１は、図５に示すように、前端縁側に刃取付部１３を備えているベース板部１１ａと、このベース板部１１ａの後端縁から適宜の高さにて立ち上がる取り付けられる背面板部１１ｂと、この背面板部１１ｂからベース板部１１ａの前端側に向けて傾斜状に取り付けられる補強板部１１ｃとを備えて形成されている。
【００３３】
ベース板部１１ａは、切断刃２の板厚よりも厚い板材を用いて、図５に示すように、切断刃２の側面形状と略同一形状の略くの字形状に形成されている刃取付部１３を前端側に備え、後端側を平面的（フラット）とする側面視で略山形形状に形成されている。
【００３４】
刃取付部１３は、図５に示すように、ベース板部１１ａの側面視が略くの字形を呈している前端縁の裏面に、切断刃２の板厚に相当する段差にて他の部分よりも一段ほど低く形成されている。
これにより、切断刃２は、図５に二点鎖線で示すように、他の部分と面一状態で、刃取付部１３に取り付けられるようになっている。
【００３５】
また、ベース板部１１ａの刃取付部１４が形成される前端縁には、この前端縁から突出するように取り付けられる切断刃２の刃先２ａの外向き傾斜に沿わせて延長させたテーパ部１５が形成されている。
これにより、コンデンサ容器Ｂ−１の両面壁板ｂが、左右一対の切断刃２によって切断されたときに、その切断片部１６が機台１の幅方向の両側に向けて末広がるようにしている。つまり、後記する図８の（ｂ）に示すように、切断された切断片部１６が外側に向けて末広がるように逃げることで、コンデンサＢが油圧シリンダ３により移動される範囲において継続して行われる切断作業中に、切断片部１６が、例えば、コンデンサＢの移動を妨げる、または、油圧シリンダ３の後記するプッシャ部材３−３の動きを妨げるなどの不具合などが生じないようにしている。
【００３６】
そして、刃先ブラケット１１の背面板部１１ｂにおける中央の補強板部１１ｃを挟む上下位置にボルト挿通孔１７が開設されており、ボルトナット１８，１９によってスライドブラケット１３の後記する前面板部１３ａに締結されて取り付けられるようにしている。
【００３７】
≪スライドブラケットの構成≫
スライドブラケット１３は、左右一対の切断刃２を、それぞれの刃先ブラケット１１を介して機台１にスライド自在に取り付け支持するために、それぞれ左右に存在する。
このスライドブラケット１３は、刃先ブラケット１１の背面板部１１ｂの高さ幅に相当する大きさにて略コの字形状の断面を呈している側面視が略縦長矩形形状に形成されており、刃先ブラケット１１の背面板部１１ｂのボルト挿通孔１７に対応する前面板部１３ａに、ボルト挿通孔２０が開設されている。
【００３８】
また、スライドブラケット１３の底面板部１３ｂには、図５に示すように、ボルト挿通孔２１が開設されている。これにより、スライドブラケット１３の底面板部１３ｂに、図６及び図に示すように、機台ベース部１−１の左右のスライド誘導路８のそれぞれ一部を塞ぐように、左右のスライド誘導路８の開口縁裏面側にそれぞれ宛がわれるスライド板２２がボルト２３によって締結されて取り付けられるようにしている。
【００３９】
≪油圧シリンダの設置構成≫
油圧シリンダ３は、ケーシング３−１の後端側が、機台ベース部１−１の後端縁側における幅方向の略中心部において、後端ブラケット２４によって機台ベース部１−１にボルト、ピン（図示省略）などによって締結されて定着されている。また、油圧シリンダ３のロッド３−２の先端には、プッシャ部材３−３が取り付けられている。
このプッシャ部材３−３は、図１、図２及び図８に示すように、コンデンサ容器Ｂ−１の底面壁板ｂ−２に相当する大きさにて側面視で略Ｌ字形状に形成されており、機台ベース部１−１の中心部においてコンデンサＢが移動される移送路Ｓ範囲で前後方向にわたるように開口されている誘導路２５によって横振れなどのガタツキを起すことなく直線的に、かつ、スムーズに案内されて機台ベース部１−１の前後方向に移動するようにしている。
【００４０】
なお、油圧シリンダ３は、図示を省略しているが、油圧ポンプからの作動油によって、ロッド３−２をケーシング３−１から突出させる前進動作、そして、ケーシング３−１に戻す後退動作を行うものであるが、本実施形態では、油圧シリンダ３と油圧ポンプとを繋ぐ油圧ホースの配管途中に電磁弁を備え、この電磁弁の開閉操作を別室において遠隔操作し得るようにしている。つまり、油圧シリンダ３を作動させる操作を遠隔操作により行うようにしている。
これにより、本実施例に係る破砕装置ＡによってコンデンサＢを破砕するための作業室に、作業者が滞在する時間をできる限り最小限に抑えるようにしている。つまり、作業者のＰＣＢ暴露の危険を少なくすることができる。
【００４１】
≪位置決め手段の構成≫
図７は、図４の一部を示す拡大断面図である。ここでは、図４を適宜参照しながら説明する。
位置決め手段５は、機台ベース部１−１のスライド誘導路にスライド自在に設置される当て板５−１と、この当て板５−１をスライド誘導路９に沿わせて移動させるためのボール軸５−２と、このボール軸５−２を正逆方向に回転操作するためのハンドル５−３とを備えて構成されている。
【００４２】
当て板５−１は、油圧シリンダ３のプッシャ部材３−３と同様に略Ｌ字形状に形成されて、スライド誘導路９にスライド可能に設置されている。そして、スライド誘導路９から機台ベース部１−１の裏面側に臨む下面にはボールナット部材２６が備えられており、このボールナット部材２６を介してボール軸５−２との繋がりが形成されている。
これにより、当て板５−１は、ボール軸５−２の回転によって左右方向、機台ベース部１−１の幅方向に移動されるようにしている。
【００４３】
ボール軸５−２は、図４に示すように、スライド誘導路９の長手方向において機台ベース部１−１の裏面における左右に２ヶ所に取り付けられる軸受け部材２７によって両端部が回転可能に支持され、機台ベース部１−１の幅方向の長辺一側より側方に向けて突出させた端部に操作ハンドル５−３が備えられるようになっている。
【００４４】
≪調節手段の構成≫
ここでは、図３及び図６を適宜参照しながら説明する。
調節手段６は、左右一対の切断刃２の間隔Ｌを、コンデンサＢの機種に合わせて調節するためのものであり、図３に示すように、左右一対の切断刃２を左右のスライド誘導路８にそれぞれスライド可能に挟み込み支持するスライド板２２にそれぞれ取り付けられるナット部材６−１と、このナット部材６−１に螺挿させて連繋させるボール軸６−２と、このボール軸６−２を正逆方向に回転操作するためのハンドル６−３とを備えて構成されている。
【００４５】
ボール軸６−２は、左右一対の切断刃２を、機台ベース部１−１の幅方向の中心線上を境として、この中心線上に接近させる左右方向と、この中心線上から離間させる左右方向にそれぞれ移動させるように、右回り螺子部２７と左回り螺子部２８を備えている。
そして、このボール軸６−２は、図３に示すように、左右のスライド誘導路８の開口する長手方向において機台ベース部１−１の裏面における左右に２ヶ所に取り付けられる軸受け部材２９によって両端部が回転可能に支持され、機台ベース部１−１の幅方向の長辺一側より側方に向けて突出させた端部には操作ハンドル６−３が備えられている。
【００４６】
そして、このように構成されている位置決め手段５によるコンデンサＢの左右一対の切断刃２に対する切断位置の位置決め調節と、調節手段６による左右一対の切断刃２の間隔Ｌの調節を行うときに、作業者が目視によって確認するための位置合わせ目盛７は、機台ベース部１−１の移送路Ｓの側方に目盛ラベルを面一に取り付ける、または、機台ベース部１−１の上面に刻設するなどの適宜の手段によって機台ベース部１−１の上面に備えられるようになっている。
【００４７】
≪オイル受けの構成≫
ここでは、図１及び図２を適宜参照しながら説明する。
オイル受け４は、コンデンサ容器Ｂ−１の両面壁板ｂが、一対の切断刃２によって破られるように切断されたときに、コンデンサ容器Ｂ−１から流出するＰＣＢ油を受け取り回収するためのであり、図１及び図２に示すように、左右一対の切断刃２によってコンデンサ容器Ｂ−１が切断される破砕範囲における機台ベース部１−１の裏面に取り付けられるように形成されている。
そして、オイル受け４は、図２に示すように、機台ベース部１−１の前後方向の一方向に向けて傾斜させた傾斜底部４ａを備えている。この傾斜底部４ａの傾斜最下端には、回収パイプ３０が接続されており、この回収パイプ３０を介して回収タンク（図示省略）などにＰＣＢ油が回収されるようになっている。
【００４８】
また、本実施形態では、図２〜図４に示すように、ＰＣＢ油の飛散を防ぐためのトンネル型の飛散防止壁３１を機台ベース部１−１に備えている。
この飛散防止壁３１は、透明なアクリル板やその他の透明、不透明などの耐薬品性に優れている板材と骨組みとなる適宜の枠材などによって形成されている。
そして、この飛散防止壁３１は、図２、図３及び図４に示すように、機台ベース部１−１の前後の長手方向を２分割する長さにそれぞれ形成されている前側と後側とから形成されており、機台ベース部１−１の幅方向の長手両側縁に備えられているレール３２を転動する滑車３３よって、前後に開閉移動するようになっている。
【００４９】
つぎに、以上のように構成されている本実施形態に係る破砕装置Ａに使い方について簡単に説明する。
図８は、コンデンサ容器の両面壁板が、左右一対の切断刃によって破られるように切断されるときの過程を示す概略斜視図である。ここでは、図１〜図４を適宜参照しながら説明する。
まず、破砕するコンデンサＢの機種を確認したのちに、図１及び図２に示すように、後退位置で待機している油圧シリンダのプッシャ部材の前にコンデンサＢを載承セットする。このとき、機台ベース部１−１の幅方向の中心線上にセンタ位置合わせをした状態で、コンデンサＢを載せるようにするとよい。
【００５０】
コンデンサＢを機台ベース部１−１の上に載せた後に、調節手段６の操作ハンドル６−３を回して、左右一対の切断刃２の間隔Ｌを、コンデンサＢの機種に合わせて調節する。
このとき、作業者は、機台ベース部１−１の上面に備えられている位置合わせ目盛７の見ながら、操作ハンドル６−３を右回し、または、左回しに操作することによって、左右一対の切断刃２の間隔Ｌを調節し、さらに、位置決め手段５の操作ハンドル５−３を回して、当て板５−１を移動させることによって、コンデンサＢを左右一対の切断刃２による破砕線上Ｘに合わせて位置決めする。このときも同様に、位置合わせ目盛７を見ながら、操作ハンドル５−３を回すことによって行うことができる。
最後に、前後の飛散防止壁３１によって機台ベース部１−１を覆うように、飛散防止壁３１を閉じることによって（図２の二点鎖線の状態）、コンデンサＢの破砕装置Ａに対するセットが完了となる。
【００５１】
コンデンサＢの破砕装置Ａへのセットが完了したら、作業者は、油圧シリンダ３を遠隔装置で行う別の部屋に移動し、油圧シリンダ３に繋がる油圧ホースの電磁弁を遠隔操作で操作し、油圧シリンダ３を作動させる。これにより、コンデンサ３は、プッシャ部材３−３によって押されて左右一対の切断刃２の方向へと移動される。この移動は、一瞬に行われる。
コンデンサＢが油圧シリンダ３によって、左右一対の切断刃２まで移動されてくると、図８の（ａ）に示すように、コンデンサ容器Ｂ−１の上面壁板ｂ−１に左右一対の切断刃２の鋭角な刃先２ａが突き刺さるように、該上面壁板ｂ−１を切断する。この切断によって、切れ目が入れられたコンデンサ容器Ｂ−１は大きな切断抵抗を受けることなく、図８の（ｂ）に示すように、両面壁板ｂが破かれるように切断され、切断された切断片部１６は、機台ベース部１−１の幅方向両側の外側に向けて末広がるように逃げる。
【００５２】
コンデンサ容器Ｂ−１の側面壁板ｂが切断されることによって、コンデンサ容器Ｂ−１から流出だれたＰＣＢ油は、機台ベース部１−１に開口されているスライド誘導路８，９、誘導路２５から機台ベース部１−１の裏面に備えられているオイル受け４に滴下されて回収される。
【００５３】
このように構成されている本実施形態に係る破砕装置Ａによれば、油圧シリンダ３によって左右一対の切断刃２に向けてコンデンサＢが移動されてくると、コンデンサ容器ｂ−１の両側面壁板ｂに左右一対の切断刃２の刃先２ａが食い込み、両側面壁板ｂは破られるように切断される。これにより、コンデンサ容器Ｂ−１内からＰＣＢ油が抜き取られる。コンデンサ容器Ｂ−１から抜き取られたＰＣＢ油は機台ベース部１−１の裏面に備えられているオイル受け４によって受け取られて回収される。
【００５４】
また、左右一対の切断刃２に向けてコンデンサＢを移動させるためのプッシャ手段が、迅速な動きで作動する油圧シリンダ３であることで、コンデンサ容器Ｂ−１の両側面壁板ｂは、一瞬にして左右一対の切断刃２によって破られるように切断される。
しかも、油圧シリンダ３は遠隔操作によって作動することから、作業者のＰＣＢに接する時間は短時間ですむ。つまり、コンデンサＢなどの油入電機機器の容器を破砕してＰＣＢ油を抜き取るときに、作業者がＰＣＢに接する時間は、油圧シリンダ３によって移動し得るように、機台ベース部１−１の上にコンデンサＢをセットするときのみの短い時間ですむ。
【図面の簡単な説明】
【００５５】
【図１】本実施形態に係る油入電機機器の破砕装置を示し、油飛散防止壁を取り外した状態の平面図である。
【図２】図１のＩＩ−ＩＩ線における縦断側面図である。
【図３】図１のＩＩＩ−ＩＩＩ線における縦断正面図である。
【図４】図１のＩＶ−ＩＶ線の縦断正面図である。
【図５】左右一対の切断刃と、刃先ブラケット及びスライドブラケットとを示す分解斜視図である。
【図６】図３のＶＩ一ＶＩ線における拡大断面図である。
【図７】図４のＶＩ−ＶI線における拡大断面図である。
【図８】コンデンサ容器の両側面壁板が、左右一対の切断刃によって破られるように切断されるときの過程を示す概略斜視図である。
【符号の説明】
【００５６】
Ａ      破砕装置
１      機台
２      切断刃
２ａ    刃先
３      油圧シリンダ（プッシャ手段）
４      オイル受け
５      位置決め手段
６      調節手段
７      位置合わせ目盛
Ｂ      コンデンサ（油入電機機器）
Ｂ−１  コンデンサ容器
ｂ      側面壁板（壁板）
Ｓ      移送路
【図１】
2008166372.tif 000003
【図２】
2008166372.tif 000004
【図３】
2008166372.tif 000005
【図４】
2008166372.tif 000006
【図５】
2008166372.tif 000007
【図６】
2008166372.tif 000008
【図７】
2008166372.tif 000009
【図８】
2008166372.tif 000010